(57)【要約】  本発明は、現在の状態と、ドライバの加速要求を満たすために、多くの他の状態のうちでターゲットとして最初に採用された状態との間の遷移段階において、オートマチックトランスミッションのドライブトレインの状態のためのターゲット（ＣＲＴ＿ＧＢＸ＿ＤＬＳ＿ＴＧＴ）を選択するための方法に関し、本方法は、初期ターゲットを維持することと、新しいターゲットを選択することとの間の裁定が、現在の状態と初期状態との間の状態の変更が、トランスミッションにおいて現在実行されている場合、および初期ターゲットがドライバの加速要件をもはや順守していない場合にアクティブ化されることを特徴とする。【選択図】図１
2021525855.tif 000002
【特許請求の範囲】
【請求項１】
現在の状態と、ドライバからの加速要請を満たすために、いくつかの他の状態の中からターゲットとして最初に採用された状態との間の遷移の段階において、オートマチックトランスミッションのドライブトレインのターゲット状態（ＣＲＴ＿ＧＢＸ＿ＤＬＳ＿ＴＧＴ）を選択するための方法であって、初期ターゲットを維持することと、新しいターゲットを選択することとの間の裁定が、
前記現在の状態と前記初期ターゲットとの間の状態の変更が前記トランスミッションにおいて現在実行されており、かつ、
前記初期ターゲットが、前記ドライバによって要求された加速制約にもはや準拠していない場合にアクティブ化されることを特徴とする、ドライブトレインのターゲット状態（ＣＲＴ＿ＧＢＸ＿ＤＬＳ＿ＴＧＴ）の選択方法。
【請求項２】
前記初期ターゲット（ＣＲＴ＿ＧＢＸ＿ＤＬＳ＿ＴＧＴ）が、実行されている間に排除されたとき、
新しいターゲットになる適格性がある状態のリストが、ブリオ制約にリンクされた裁定（ＡＶＬ＿ＤＬＳ＿ＡＦＴＲ＿ＤＲＢ）に従って、前記状態に優先度係数を割り当てることによって決定され、
前記新しいターゲット（ＣＲＴ＿ＧＢＸ＿ＤＬＳ＿ＴＧＴ）が、前記適格性がある状態の中から選択され、
前記新しいターゲットが、完全に実行されるまで、前記ドライブトレインに課される
こと
を特徴とする、請求項１に記載の選択方法。
【請求項３】
前記新しいターゲット（ＣＲＴ＿ＧＢＸ＿ＤＬＳ＿ＴＧＴ）が、加速制約との準拠に従って確立された最適状態のリスト（ＡＶＬ＿ＤＬＳ＿ＡＦＴＲ＿ＤＲＢ＿ＣＧＥ＿ＭＩＮＤ）から選定されることを特徴とする、請求項２に記載の選択方法。
【請求項４】
前記新しいターゲットが、公害制御および／または消費量の基準に従って選定されることを特徴とする、請求項２または３に記載の選択方法。
【請求項５】
前記新しいターゲット（ＣＲＴ＿ＧＢＸ＿ＤＬＳ＿ＴＧＴ）が選択されたとき、前記新しいターゲット（ＣＲＴ＿ＧＢＸ＿ＤＬＳ＿ＴＧＴ）が、最適状態の前記リスト（ＡＶＬ＿ＤＬＳ＿ＡＦＴＲ＿ＤＲＢ＿ＣＧＥ＿ＭＩＮＤ）中のただ１つのみの適格性がある状態のままである、記載の選択方法。
【請求項６】
最初に選定された状態を維持することと、新しいターゲットを選択することとの間の前記裁定が、
前記選定された新しいターゲットが（ＣＲＴ＿ＧＢＸ＿ＤＬＳ＿ＴＧＴ）であり、裁定中に排除された場合、または、
前記選定された新しいターゲットが実行され、決定された期間の間、前記ドライブトレインの前記現在の状態のままである場合
に非アクティブ化されることを特徴とする、請求項１から５のいずれか一項に記載の選択方法。
【発明の詳細な説明】
【技術分野】
【０００１】
本発明は、電気／ハイブリッドまたは熱機関車両トランスミッション上のドライブトレイン状態変更の制御に関する。
【０００２】
より詳細には、本発明の主題は、現在の状態と、ドライバからの加速要請を満たすために、いくつかの他の状態の中からターゲットとして最初に採用された状態との間の遷移の段階において、オートマチックトランスミッションのドライブトレインのターゲット状態を選択するための方法である。
【背景技術】
【０００３】
個別ギア比をもつギアボックスが装備された車両上では、その車両が電気／ハイブリッドであろうと、熱機関であろうと、ドライブトレインの状態の変更の段階は、所与の車両アーキテクチャに固有のカプラとレデューサとの組合せとして定義され得る。アーキテクチャの複雑さに応じて、これらの遷移段階は最高で数秒間持続し得る。
【０００４】
ドライブトレインの状態の変更が数秒間持続し得ることは、場合によっては、初期ターゲットが遷移中に廃棄され、新しいターゲットが選好されることを意味する。ターゲットの変更は様々な理由で起こり得る。それらの理由のうちの１つは、車両の移動の速度が遷移中に高くなりすぎて、信頼度の問題または他の危険をもたらすことである。
【０００５】
遷移中のターゲットの変更がドライバからの加速要請の増加によるとき、この変更は、車両の挙動、およびその挙動がどのように知覚されるかに対して特に著しい影響を及ぼし得る。
【０００６】
車両の加速を要求するドライバは、申し分のないレベルの実行とともに、妥当な時間内でそのことを予期する。状態の変更中、ボックスは遷移段階にある。ボックスは、さらには、そのボックスのターゲットに到達する前に、一続きになるべきいくつかの遷移ステージを有することができる。要求が遷移段階において変化した場合、ボックスは、実行時間が最初に予測可能でなかった、新しいターゲットを目的にすることができる。ボックスは、そのボックスの新しいターゲットに基づいて、異なるレベルでこの加速のために必要とされるトルクを供給することができる。すでに開始している、状態の変更中の、ボックスによる新しいターゲットの選定は、したがって、ドライバによって要求された加速が得られた際の遅延およびレベルに顕著な影響を及ぼす。
【０００７】
米国公報第８，９４４，９５７号から、現在実行されているターゲットギア比がトルク要求の増加の後に消去されなければならないかどうかを決定することを可能にする方法が知られている。その方法はまた、ギアボックスの新しいターゲットがどのように実行されるかを示している。しかしながら、この公報は、どのように後者を選定するかを指定していない。
【０００８】
英国公報第２  ４３３  ３０１号は、速度しきい値とアクセルペダルの位置とに基づいて、二重クラッチをもつギアボックスのギア比を決定するための特定の方法を記載している。選定は、複数のターゲット間のオプション、または遷移中にターゲットを変更する可能性なしに、個別的に行われる。
【０００９】
しかしながら、これらの公報のいずれも、すでに進行中のドライブトレインの状態の変更の段階において、ドライバによって要求された加速を得るために、最良のターゲットドライブトレイン状態をどのように定義するかを規定していない。
【発明の概要】
【００１０】
本発明は、ドライバからの要求に応答して、応答時間と加速強度の基準に従って、ターゲットオートマチックトランスミッションギア比を選択することを目的とする。
【００１１】
この目的のために、初期ターゲットを維持することと、新しいターゲットを選択することとの間の裁定（arbitrage）が、２つの以下の条件が満たされた場合にアクティブ化される。
現在の状態と初期ターゲットとの間の状態の変更がトランスミッションにおいて現在実行されている。
初期ターゲットが、ドライバによって要求された加速制約にもはや準拠していない。
【００１２】
好ましくは、初期ターゲットＣＲＴ＿ＧＢＸ＿ＤＬＳ＿ＴＧＴが、実行されている間に排除されたとき、
新しいターゲットになる適格性がある状態のリストが、ブリオ（brio）制約にリンクされた裁定ＡＶＬ＿ＤＬＳ＿ＡＦＴＲ＿ＤＲＢに従って、それらの状態に優先度係数を割り当てることによって決定され、
新しいターゲットＣＲＴ＿ＧＢＸ＿ＤＬＳ＿ＴＧＴが、適格性がある状態の中から選択され、
新しいターゲットが、完全に実行されるまで、ドライブトレインに課される。
【００１３】
この方法は、離散的ギア比をもつオートマチックトランスミッションが装備された、任意の熱／ハイブリッド／電気車両に適用可能である。この方法は、利用可能な状態間の裁定、すなわち、それらの状態のうちのいくつかの許可と、他の状態の禁止とを課する。一連の連続的な裁定により、トランスミッションによって実行されるべきターゲットとしての適格性がある状態のセットを定義することが可能になる。裁定は、非限定的な様式で、
選定された運転モード（前進、後退など。）、
牽引器官（電気機械、熱機関など）の速度に関する信頼性限界、または、
アクセルペダルの位置または外部要求によって決定されるブリオ制約
に関することができる。
【００１４】
本発明の他の特徴および利点は、添付の図面を参照することによって、本発明の特定の実施形態の以下の説明から明らかになろう。
【図面の簡単な説明】
【００１５】
【図１】開発された手順（strategie）の流れ図である。
【図２】開発された手順の適用例のタイミング図である。
【発明を実施するための形態】
【００１６】
以下の説明では、新しいターゲット選択の予備的裁定は、ブリオに関連する裁定である。この例では、１つの状態がドライバからの加速要請を適用することが不可能である場合、この状態は選択のために不適格であると考えられる。
【００１７】
動作の進行は図１によって示されている。それらの動作は、トランスミッションが、現在の状態と、ドライバからの加速要請を満たすために、いくつかの状態の中から選定された初期ターゲットとの間の遷移段階中にすでにある間、いくつかの条件に従って、ドライブトレインの新しいターゲット状態ＣＲＴ＿ＧＢＸ＿ＤＬＳ＿ＴＧＴを選択することにある。この方法はいくつかのステップに分割される。この方法のシーケンスは、応答時間と強度とに関して、ドライバによって要求された加速制約に準拠することを可能にする、ドライブトレインの状態のリストの決定につながる。ブリオ制約にリンクされた可能な裁定の前のドライブトレインの状態の適格性リストはＡＶＬ＿ＤＬＳ＿ＢＦＲ＿ＤＲＢと呼ばれる。適格性リストは、すでに着手されている状態の変更中に、ブリオ理由のために、必要になるであろう、ターゲットのあり得る変更を予想して確立される。ブリオ制約にリンクされた裁定の後の、適格性があるドライブトレイン状態のリストはＡＶＬ＿ＤＬＳ＿ＡＦＴＲ＿ＤＲＢである。
【００１８】
ステップＦ１の目的は、状態の変更中にドライバからの加速要請を満たす適格性がある状態間の裁定がアクティブ化されるべきかどうかを決定することである。対応するアクティブ化要求はＤＬＳ＿ＴＧＴ＿ＣＧＥ＿ＤＲＢ＿ＲＥＱである。この要求は、以下の２つの条件が満たされた場合に有効になる。
ドライブトレインの状態の変更がトランスミッションにおいて現在実行されている（現在の状態ＣＲＴ＿ＧＢＸ＿ＤＬＳがターゲットＣＲＴ＿ＧＢＸ＿ＤＬＳ＿ＴＧＴと異なる）。
ターゲット状態ＣＲＴ＿ＧＢＸ＿ＤＬＳ＿ＴＧＴが、ドライバによって要求された加速制約に準拠していないので、そのターゲット状態ＣＲＴ＿ＧＢＸ＿ＤＬＳ＿ＴＧＴが不適格であると考えられる。すなわち、ターゲット状態ＣＲＴ＿ＧＢＸ＿ＤＬＳ＿ＴＧＴは、ブリオ制約に関連する裁定の前（リストＡＶＬ＿ＤＬＳ＿ＢＦＲ＿ＤＲＢ）には適格であったが、裁定の後（リストＡＶＬ＿ＤＬＳ＿ＡＦＴＲ＿ＤＲＢ）にはもはや適格でない。
【００１９】
要約すると、最初に選定された状態を維持することと、新しいターゲットを選択することとの間の裁定は、
現在の状態と初期ターゲットとの間の状態の変更がトランスミッションにおいて現在実行されており、
初期ターゲットが、ドライバによって要求された加速制約にもはや準拠していない
場合にアクティブ化される。
【００２０】
他の場合、裁定はアクティブ化されない。
【００２１】
ステップＦ２の目的は、状態の変更中のドライバからの加速要請を最適に満たすであろう、ドライブトレインの状態を選択することである。裁定アクティブ化イベントはＤＬＳ＿ＴＧＴ＿ＤＲＢ＿ＳＴＹ＿ＥＮＡである。アクティブ化要求ＤＬＳ＿ＴＧＴ＿ＣＧＥ＿ＤＲＢ＿ＲＥＱが有効である場合、裁定はアクティブ化され、ＤＬＳ＿ＴＧＴ＿ＤＲＢ＿ＳＴＹ＿ＥＮＡは真である。非アクティブ化要求ＤＬＳ＿ＴＧＴ＿ＣＧＥ＿ＤＲＢ＿ＮＯＲＥＱが有効である場合、裁定は非アクティブ化され、ＤＬＳ＿ＴＧＴ＿ＤＲＢ＿ＳＴＹ＿ＥＮＡは偽である。
【００２２】
ステップＦ３は、裁定が非アクティブ化されなければならないときを決定することにある。非アクティブ化要求ＤＬＳ＿ＴＧＴ＿ＣＧＥ＿ＤＲＢ＿ＮＯＲＥＱは、手順（strategie）がアクティブである（ＤＬＳ＿ＴＧＴ＿ＤＲＢ＿ＳＴＹ＿ＥＮＡ＝真）場合、かつ２つの以下の条件のうちの１つが満たされた場合に有効になる。
新しいターゲットＣＲＴ＿ＧＢＸ＿ＤＬＳ＿ＴＧＴが裁定の前に排除されるか、または
新しいターゲットに到達し、新しいターゲットが、決定された期間を超えてドライブトレインの現在の状態である。
【００２３】
ステップＦ４は、現在の状態ＣＲＴ＿ＧＢＸ＿ＤＬＳに基づいて、他の状態に優先度係数を割り当てることにある。ＤＬＳ＿Ｒａｎｋｉｎｇと呼ばれる、このランク付けでは、最も低い係数が最適状態に与えられ、最も高い係数が他の状態に与えられる。
【００２４】
ステップＦ５は、応答時間と強度とに関して、状態の変更中にドライバによって要求された加速制約に準拠することを可能にする、最適状態のリストＡＶＬ＿ＤＬＳ＿ＡＦＴＲ＿ＤＲＢ＿ＣＧＥ＿ＭＩＮＤを確立することにある。最適状態は、トランスミッションが最適なターゲットを有することを可能にする。新しいターゲットＣＲＴ＿ＧＢＸ＿ＤＬＳ＿ＴＧＴは、いくつかの加速制約との準拠に従って確立された、最適状態のリストＡＶＬ＿ＤＬＳ＿ＡＦＴＲ＿ＤＲＢ＿ＣＧＥ＿ＭＩＮＤから選定される。ＤＬＳ＿ＴＧＴ＿ＤＲＢ＿ＳＴＹ＿ＥＮＡが偽である場合、この裁定の終了時における適格性がある状態のリストは、先行する適格性リストＡＶＬ＿ＤＬＳ＿ＡＦＴＲ＿ＤＲＢに対応する。ＤＬＳ＿ＴＧＴ＿ＤＲＢ＿ＳＴＹ＿ＥＮＡが真である場合、動作は以下のように分割される。
【００２５】
ａ）ターゲットＣＲＴ＿ＧＢＸ＿ＤＬＳ＿ＴＧＴが、ブリオの理由のために、実行されている間に排除されたとき、まず、優先状態と、新しいターゲットになる適格性がある状態とが決定される。そのことのために、ブリオ制約に関連する裁定（ＤＬＳ＿ＡＶＬ＿ＡＦＴＲ＿ＤＲＢ）の後の適格性がある状態の係数の最も低い値が、ステップＦ４（ＤＬＳ＿Ｒａｎｋｉｎｇ）において確立された係数のリストから選定される。この係数を有する状態の中で、先行する裁定（ＡＶＬ＿ＤＬＳ＿ＡＦＴＲ＿ＤＲＢ）においてすでに適格性がある状態のみが保持される。新しいターゲットＣＲＴ＿ＧＢＸ＿ＤＬＳ＿ＴＧＴは、公害制御／消費量の制約に従って、リストＡＶＬ＿ＤＬＳ＿ＡＦＴＲ＿ＤＲＢ＿ＣＧＥ＿ＭＩＮＤから最後に選定される。
【００２６】
ｂ）新しいターゲットＣＲＴ＿ＧＢＸ＿ＤＬＳ＿ＴＧＴが決定されたとき、同じ優先度を有する別の状態の最終的な選定を回避するように、新しいターゲットのみがリストＡＶＬ＿ＤＬＳ＿ＡＦＴＲ＿ＤＲＢ＿ＣＧＥ＿ＭＩＮＤにおいて適格性を有する。リストＡＶＬ＿ＤＬＳ＿ＡＦＴＲ＿ＤＲＢ＿ＣＧＥ＿ＭＩＮＤは、応答時間と加速強度とに関してドライバの意思に準拠することを可能にする。
【００２７】
言い換えれば、初期ターゲット（ＣＲＴ＿ＧＢＸ＿ＤＬＳ＿ＴＧＴ）が、実行されている間に排除されたとき、
新しいターゲットになる適格性がある状態のリストが、ブリオ制約に関連する裁定（ＡＶＬ＿ＤＬＳ＿ＡＦＴＲ＿ＤＲＢ）に従って、それらの状態に優先度係数を割り当てることによって決定され、
新しいターゲット（ＣＲＴ＿ＧＢＸ＿ＤＬＳ＿ＴＧＴ）が、適格性がある状態の中から選択され、
新しいターゲットが、完全に実行されるまで、ドライブトレインに課される。
【００２８】
図２は、６つの前進ドライブトレイン状態を有する、個別ギア比をもつオートマチックトランスミッションへの本方法の適用を示している。
【００２９】
時間Ｔ１において、ドライブトレインのターゲット状態ＣＲＴ＿ＧＢＸ＿ＤＬＳ＿ＴＧＴは６から５に変化するが、現在の状態ＣＲＴ＿ＧＢＸ＿ＤＬＳは６であり、その瞬間に状態の変更が開始する。
【００３０】
時間Ｔ２において、現在のターゲットＣＲＴ＿ＧＢＸ＿ＤＬＳ＿ＴＧＴは、ブリオ制約に関連する裁定の前（リストＡＶＬ＿ＤＬＳ＿ＢＦＲ＿ＤＲＢ）には適格性があったが、裁定の後（リストＡＶＬ＿ＤＬＳ＿ＡＦＴＲ＿ＤＲＢ）には不適格であると考えられる。このターゲットは排除される。Ｔ２において、手順アクティブ化要求ＤＬＳ＿ＴＧＴ＿ＣＧＥ＿ＤＲＢ＿ＲＥＱは、関数Ｆ１において真になり、関数Ｆ２において手順のアクティブ化ＤＬＳ＿ＴＴ＿ＤＲＢ＿ＳＴＹ＿ＥＮＡを伴う。
【００３１】
Ｔ２とＴ３との間で、関数Ｆ４は、リストＤＬＳ＿Ｒａｎｋｉｎｇによって、現在の状態ＣＲＴ＿ＧＢＸ＿ＤＬＳに従って、状態１が係数３を有し、状態２が係数４を有するなど、ドライブトレインの異なる状態に優先度係数を割り当てる。ランク付けＤＬＳ＿Ｒａｎｋｉｎｇから、およびブリオ制約に関連する裁定の後の状態の適格性のリストＡＶＬ＿ＤＬＳ＿ＡＦＴＲ＿ＤＲＢから、関数Ｆ５は最も小さい利用可能な係数を決定する。すなわち、それぞれ係数４、係数１および係数１をもつ、状態２、状態３および状態４のみが利用可能である。最も小さい利用可能な係数は１である。
【００３２】
上記のように、裁定により、応答時間と強度とに関して、ドライバによって要求された加速制約に準拠することを可能にする状態を定義することが可能になる。裁定は、最も低い観測された係数値を有する状態のみを可能にする。この例では、状態２は係数４を有するので、状態２は禁止されるが、状態３および状態４は、それらの状態の係数が１に等しいので可能にされる。適格性がある状態のリストはＡＶＬ＿ＤＬＳ＿ＡＦＴＲ＿ＤＲＢ＿ＣＧＥ＿ＭＩＮＤである。
【００３３】
この裁定および対応する許可は、適格性があると考えられる状態の中からの、ギアボックスによる新しいターゲット状態の選択まで有効なままである。
【００３４】
時間Ｔ３において、ターゲットＣＲＴ＿ＧＢＸ＿ＤＬＳ＿ＴＧＴは状態５から状態４に変化する。Ｔ３とＴ４との間で、関数Ｆ５は、リストＡＶＬ＿ＤＬＳ＿ＡＦＴＲ＿ＤＲＢ＿ＣＧＥ＿ＭＩＮＤ中で現在のターゲットＣＲＴ＿ＧＢＸ＿ＤＬＳ＿ＴＧＴをもはや可能にしないので、トランスミッションはそのターゲットにとどまることを強制される。
【００３５】
時間Ｔ４において、ボックスは、ターゲットＣＲＴ＿ＧＢＸ＿ＤＬＳ＿ＴＧＴを実行することを完了している。トレインの現在の状態ＣＲＴ＿ＧＢＸ＿ＤＬＳは値６から値４に変化している。時間Ｔ５までに関数Ｆ５によって可能にされた唯一のターゲットは、依然として、現在の状態になっているターゲット状態である。
【００３６】
時間Ｔ５において、現在の状態ＣＲＴ＿ＧＢＸ＿ＤＬＳは、Ｔ４以後、ターゲットＣＲＴ＿ＧＢＸ＿ＤＬＳ＿ＴＧＴに対応している。関数Ｆ３は、ギアボックスが別の可能なターゲットを選定することを可能にするために、要求ＤＬＳ＿ＴＧＴ＿ＣＧＥ＿ＤＲＢ＿ＮＯＲＥＱによって、裁定の非アクティブ化を要求する。この要求は、関数Ｆ２において手順を非アクティブ化し、手順のアクティブ化ＤＬＳ＿ＴＧＴ＿ＤＲＢ＿ＳＴＹ＿ＥＮＡは偽に変化する。手順の非アクティブ化から、ＡＶＬ＿ＤＬＳ＿ＡＦＴＲ＿ＤＲＢ＿ＣＧＥ＿ＭＩＮＤにおける手順の終了時における適格性がある状態は、ブリオ制約に関連する裁定ＡＶＬ＿ＤＬＳ＿ＡＦＴＲ＿ＤＲＢの後に適格性がある状態である。この例では、これらの状態は状態３および状態４である。
【００３７】
本発明の主要な利点は、裁定手順にほとんど調整が行われないこと、および個別ギア比をもつオートマチックギアボックスが装備されたいかなる車両にも採用され得る、本方法の横断的な性質である。
【図１】
2021525855.tif 000003
【図２】
2021525855.tif 000004
【国際調査報告】
2021525855.tif 000005
2021525855.tif 000006
2021525855.tif 000007
2021525855.tif 000008
2021525855.tif 000009